(57)【要約】      （修正有）【課題】防犯カメラの映像を通信手段で近傍の携帯装置へ送信する一般公開型映像記録配信防犯システムを提供する。【解決手段】防犯カメラ１と、前記防犯カメラの撮影映像を保存する記憶装置と、前記防犯カメラからの撮影映像を前記記憶装置に保存する機能を持つデータ処理装置と、前記記憶装置内の映像データを無線配信する通信装置と、前記記憶装置から前記通信装置に撮影映像データを転送する通信処理装置と、前記通信装置からの映像データを受信して再生する無線通信端末向け再生ソフトウエアからなる。【選択図】図１
2015165612.tif 000002
【特許請求の範囲】
【請求項１】
防犯カメラと、前記防犯カメラの撮影映像を保存する記憶装置と、前記防犯カメラからの撮影映像を前記記憶装置に保存する機能を持つデータ処理装置と、前記記憶装置内の映像データを無線配信する通信装置と、前記記憶装置から前記通信装置に撮影映像データを転送する通信処理装置と、前記通信装置からの映像データを受信して再生する無線通信端末向け再生ソフトウエアからなる一般公開型映像記録配信防犯システム
【請求項２】
防水構造である一般公開型映像記録配信防犯システム
【請求項３】
記憶装置の容量が一杯になった際には古いデータから削除、上書きを行う、一般公開型映像記録配信防犯システム
【請求項４】
動体検知の自動録画機能を持つ、一般公開型映像記録配信防犯システム
【請求項５】
魚眼レンズ等を装備する、一般公開型映像記録配信防犯システム
【請求項６】
赤外線ライトを装備した、一般公開型映像記録配信防犯システム
【請求項７】
ハードディスクなどの磁気記憶装置、フラッシュメモリ類などの記憶装置を装備した、一般公開型映像記録配信防犯システム
【請求項８】
無線通信可能なスマートフォン、タブレット、パーソナルコンピュータなどに組み込み、ＷｉＦｉ等の無線通信によって無線配信した映像データを取得し、再生表示する、携帯端末向け再生ソフトウエアをもつ、一般公開型映像記録配信防犯システム
【請求項９】
アクセスポイントを必要とせず、複数の端末装置に映像データを送信できる通信処理装置を装備する、一般公開型映像記録配信防犯システム
【請求項１０】
太陽光パネルと蓄電池を組み合わせることにより、単独で設置運用ができる防犯カメラシステムとなる、一般公開型映像記録配信防犯システム
【発明の詳細な説明】
【技術分野】
【０００１】
本発明は、防犯カメラの撮影記録映像を無線通信端末に配信する、一般公開型映像記録配信防犯システムに関する。
特に、無線通信端末としてスマートフォンを利用する、一般公開型映像記録配信防犯システムに関する。
【背景技術】
【０００２】
無線通信端末としては、スマートフォン、タブレット型／ノート型／デスクトップ型などのパーソナルコンピュータ等が利用される。
【０００３】
カメラとしては、広角度レンズ、魚眼レンズを装着したＣＣＤカメラ、ビデオカメラ、デジタルカメラ等を利用する防犯カメラが利用される。
【０００４】
映像を配信するための手段として、同軸ケーブル、HDMI（登録商標）ケーブル、有線ＬＡＮ、無線ＬＡＮ、Ｂｌｕｅｔｏｏｔｈ（登録商標）などが利用される。
【０００５】
無線ＬＡＮの通信方法として、アクセスポイントを設置する方法のほかに、直接無線ＬＡＮ対応機器間で通信するアドホックモードやＷｉＦｉダイレクトなどの方法がある。
【先行技術文献】
【特許文献】
【０００６】
【特許文献１】特開２００３−２８８６５４号公報
【発明の概要】
【発明が解決しようとする課題】
【０００７】
近年、防犯意識の高まりや、苦情などの証拠を残すなど、防犯カメラの需要が高まっている。しかしながら、通常の防犯カメラシステムを導入するには、インフラの整備などにかかる工事費、運用するためのコストがかかり、導入障壁は高い。具体的には、従来の防犯カメラシステムは、撮影した映像データをモニターする専用の場所が必要であり、閉鎖的な専用のシステムが必要となるため、導入コストが高くなる。また、監視するための専用の場所と人員が必要となるため、ランニングコストが高くなる。
【０００８】
従来の無線通信システムは、限られた場所で限られた者にしか情報を取得ができないため、一般の人々は直接のメリットを享受しにくい。
【０００９】
従来の無線通信システムは、アクセスポイントとなる機器の設置が必須であり、通信する機器がアクセスポイントの通信範囲にあることが条件となるため、設置条件に制限がある。
【００１０】
本発明は上述のような技術背景のもとになされたものであり、下記の目的を達成する。
本発明の目的は、防犯カメラの映像を通信手段で近傍の携帯装置へ送信することができる一般公開型映像記録配信防犯システムである。
本発明の他の目的は、防犯カメラを単体で設置するだけで稼動する一般公開型映像記録配信防犯システムである。
【課題を解決するための手段】
【００１１】
本発明は、前記目的を達成するため、次の手段を採る。
本発明は、防犯カメラと、前記防犯カメラの撮影映像を保存する記憶装置と、前記防犯カメラからの撮影映像を前記記憶装置に保存する機能を持つデータ処理装置と、前記記憶装置内の映像データを無線配信する通信装置と、前記記憶装置から前記通信装置に撮影映像データを転送する通信処理装置と、前記通信装置からの映像データを受信して再生する無線通信端末向け再生ソフトウエアからなることを特徴とする。
【００１２】
本発明の一般公開型映像記録配信防犯システムは、屋外に設置することを想定するため、防水構造とするとよい。
【００１３】
前記データ処理装置は、前記記憶装置の容量が一杯になった際には古いデータから削除、上書きを行う。
【００１４】
本発明の一般公開型映像記録配信防犯システムは、記憶装置を有効に使用するために、動体検知の自動録画機能を持つと良い。
【００１５】
前記防犯カメラは、街路、公共施設内等に設置することを考慮し、できるだけ広範囲を撮影できる魚眼レンズ等を装備するものが良い。
【００１６】
前記防犯カメラは、暗いところでも撮影するため、赤外線ライトを装備すると良い。
【００１７】
前記記憶装置は、ハードディスクなどの磁気記憶装置、フラッシュメモリ類などの記憶装置を表す。
【００１８】
前記携帯端末向け再生ソフトウエアは、無線通信可能なスマートフォン、タブレット、パーソナルコンピュータなどに組み込み、ＷｉＦｉ等の無線通信によって無線配信した映像データを取得し、再生表示する。
【００１９】
前記通信処理装置は、アクセスポイントを必要とせず、複数の端末装置に映像データを送信できる装置を表す。
【００２０】
本発明の一般公開型映像記録配信防犯システムに、太陽光パネルと蓄電池を組み合わせることにより、単独で設置運用ができる防犯カメラシステムとなる。
【発明の効果】
【００２１】
本発明によると、次の効果が奏される。
本発明の一般公開型映像記録配信防犯システムにより、街路、公共施設などを監視するために防犯カメラの撮影映像が一般公開され、警備担当の人員を増加させることなく、多くの人の目によって監視される状況を作り出す。警備担当者の在不在にかかわらず、いつでも監視されていることにより、犯罪を抑止する効果が高くなる。
【００２２】
過去の映像データを本発明の一般公開型映像記録配信防犯システム内に保存することにより、映像を集中管理する必要がなくなり、初期導入コスト、ランニングコストとも軽減する効果がある。
【００２３】
太陽光パネルと蓄電池を組み合わせれば、電源のない山奥や浜辺などの防犯も可能となる。
【図面の簡単な説明】
【００２４】
【図１】本発明の一般公開型映像記録配信防犯システムの全体図である。
【図２】本発明にかかる、処理ユニット内の動作ブロック図である。
【発明を実施するための形態】
【００２５】
図１に示すように、防犯カメラ１で撮影された映像信号は、処理ユニット２に送られる。防犯カメラ１で撮影された映像信号は、処理ユニット２内でデジタルデータ化され、処理ユニット２内の記憶装置に保存される。本発明の一般公開型映像記録配信防犯システム用のアプリケーションをインストールした無線通信端末３から、無線通信アンテナ４を通じて処理ユニット２に対して映像転送要求を行うと、処理ユニット２内の記憶装置に保存された映像データを無線通信アンテナ４を通じて無線通信端末３に転送する。
【００２６】
図２に示すように、処理ユニット５内のデータ処理装置６では、防犯カメラ７からの映像信号をデジタルデータ化し、記憶装置８に保存する。無線通信アンテナ９から受け取った無線通信端末からの映像表示要求は、通信モジュール１０を通じ、データ処理装置６で受け付ける。データ処理装置６は映像表示要求に対し、指定された映像データを記憶装置８から取り出し、通信モジュール１０を通じて無線通信アンテナ９から無線通信端末に配信する。
【産業上の利用可能性】
【００２７】
本発明は、限られた期間での情報利用や公開でなく、一般市民が誰でも利用できることにより、街路、公共施設、店舗、マンションの共用部などに設置することで、事件／事故の確認が可能となる。これにより、犯罪の抑止、モラルの向上、一般市民の防犯意識の向上、迷惑行為／不法行為の抑止などの効果が期待される。
【符号の説明】
【００２８】
１・・・防犯カメラ
２・・・処理ユニット
３・・・無線通信端末
４・・・無線通信アンテナ
５・・・処理ユニット
６・・・データ処理装置
７・・・防犯カメラ
８・・・記憶装置
９・・・無線通信アンテナ
１０・・・通信モジュール
【図１】
2015165612.tif 000003
【図２】
2015165612.tif 000004